(57)【要約】本発明は、カバー式に構成されるオーディオコンポ構造を有している無線オーディオコンポに関する。前記カバーをオーディオコンポ本体から容易に分離し、ユーザーが色々な外接電子商品をを自由に交換することができる。例えば、ＬＥＤランプ或いは省エネランプなどのような市場で販売している各タイプのランプ、無線ルーター或いはカメラなどを自由に交換することができるので、ユーザーが色々なものを選ぶことができる。更に、無線オーディオコンポシステムにも関し、無線発信型ベースと無線受信型オーディオコンポは、ＷｉＦｉ、ブルートゥース、或いは他の無線モジュールなどのような転送方式の無線発信モジュールと無線受信モジュールを用いる。前記無線オーディオコンポシステムは、複数のと無線受信型オーディオコンポを支えることができる。前記無線受信型オーディオコンポは、キッチン、ホール、ベッドルーム、トイレ、バー或いはレストランの天井、壁部或いは他の隅部に設置するか、或いは電気スタンド、卓上灯、縦型電気スタンド或いは電車、飛行機のような交通手段に設置し、自由な組み合わせにより家庭や公共場所などで音楽を鑑賞することができる。
2015508590.tif 000002
【特許請求の範囲】
【請求項１】
無線オーディオコンポであって、
外部本体と内部機構を含み、
前記外部本体は、前端に開口が形成されている下側カバー（２）を含み、前記下側カバー（２）の後端には通用の標準ネジ口が形成され、且つ前記下側カバー（２）の前端にはカバー２２が着脱可能に装着され、
前記内部機構は、電源回路と、無線受信装置と、コントロールパネルと、オーディオコンポ装置と、着脱可能な外接電子部品と、を含み、
前記電源回路は、内部機構に電力を提供し、前記無線受信装置は、前記無線発信ベースから発信された無線音声デジタル信号を受信して、コントロールパネルのＡＤ変換モジュールを通して受信した信号をデジタルアナログ変換して前記外接電子部品と前記オーディオコンポ装置に転送し、
前記オーディオコンポ装置は、前記下側カバー（２）の中に固定され、前記下側カバー（２）の中には内部装着筒（２７）が設置され、前記外接電子部品は、前記電源回路とコントロールパネルと電気的に接続するように前記内部装着筒（２７）の中に着脱可能なに設置されている、ことを特徴とする無線オーディオコンポ。
【請求項２】
前記下側カバー（２）の後端の通用の標準ネジ口は、金属ナット（８）及び金属ボルト（９）から構成され、前記下側カバー（２）の前端の開口には蓋部（１）が装着され、前記内部装着筒（２７）は、蓋部（１）の上に装着され、前記オーディオコンポ装置は、スピーカー（１８）を含み、前記蓋部（１）には、スピーカー（１８）の音声が出るように開口が形成されている、ことを特徴とする請求項１に記載の無線オーディオコンポ。
【請求項３】
前記オーディオコンポ装置は、蓋部（１）の外側に装着されているスピーカー用網部（７）を更に含み、前記スピーカー用網部（７）には、蓋部（１）の内部装着筒（２７）に対応する貫通穴（７０）が形成され、前記外接電子部品は、前記貫通穴（７０）を通して前記内部装着筒（２７）の中に装着されている、ことを特徴とする請求項２に記載の無線オーディオコンポ。
【請求項４】
前記外接電子部品は、金属ナット及び金属ボルトから構成された通用の標準ネジ口を具備し、前記内部装着筒（２７）の中には、前記外接電子部品の標準ネジ口と電気的に接続するように係合するコンセントが形成されている、ことを特徴とする請求項１に記載の無線オーディオコンポ。
【請求項５】
前記外接電子部品がランプであり、前記ランプの発光部分の少なくとも一部が前記蓋部（１）の外部に露出されている、ことを特徴とする請求項４に記載の無線オーディオコンポ。
【請求項６】
前記ランプがＬＥＤランプ或いは省エネランプである、ことを特徴とする請求項５に記載の無線オーディオコンポ。
【請求項７】
前記外接電子部品は、無線ルーター、カメラ或いはプロジェクターであり、前記無線ルーター、カメラ或いはプロジェクターは、標準ネジ口が形成された外部カバーによって前記内部装着筒（２７）のコンセントと電気的に接続するように係合する、ことを特徴とする請求項４に記載の無線オーディオコンポ。
【請求項８】
前記コントロールパネルは、処理装置と、音声コントロールモジュールと、外接電子部品コントロールモジュールと、を含み、外接電子部品コントロールモジュールは外接電子部品に繋がり、音声コントロールモジュールはオーディオコンポ装置に繋がり、処理装置はそれぞれ音声コントロールモジュールとランプコントロールモジュールに繋がって、対応するモジュールの作動を制御する、ことを特徴とする請求項１に記載の無線オーディオコンポ。
【請求項９】
前記無線受信型オーディオコンポは、内装装置をさらに含み、前記内装装置は、ランプ、無線ルーター、カメラ、プロジェクター、或いは上述する４つの装置の何れかの組み合わせからなり、前記コントロールパネルは、前記内装装置を制御する内装装置コントロールモジュールを更に含む、ことを特徴とする請求項８に記載の無線オーディオコンポ。
【請求項１０】
無線オーディオコンポシステムであって、
請求項１から９のいずれか１項に記載の無線オーディオコンポシステムを含み、
外接電子装置からオーディオデータを受信して、無線オーディオデジタル信号の形態で外へ発信する無線発信型ベースをさらに含み、
前記無線発信型ベースは、ベース本体と、前記ベース本体の内部に設置される無線発信モジュールと、前記無線発信モジュールの作動を制御するＰＣＢＡと、を含む、ことを特徴とする無線オーディオコンポシステム。
【請求項１１】
前記ベース本体は、互いに係合するプラスチック上側蓋（２４）とプラスチック下側蓋（２５）を含み、前記プラスチック上側蓋には、音楽再生装置を置くための支持ベース（２３）が形成され、前記プラスチック下側蓋の外には、リモコン信号を受信する透光部が形成されている、ことを特徴とする請求項１０に記載の無線オーディオコンポシステム。
【請求項１２】
無線オーディオコンポシステムは、前記無線発信型ベースとセットになるリモコンをさらに含む、ことを特徴とする請求項１１に記載の無線オーディオコンポシステム。
【発明の詳細な説明】
【技術分野】
【０００１】
本発明は、無線オーディオコンポ及び無線オーディオコンポシステムに関する。
【背景技術】
【０００２】
オーディオコンポは、今の人々の娯楽生活で重要な役割を果たしている。現在、ナイトクラブ、コーヒー店、ボールルーム、高級料理店、家庭などには、色々なオーディオコンポが設置されている。これらのオーディオコンポを異なる位置に設置することによってサラウンドサウンド効果を発揮し、聴者が素晴らしい音楽を聴けるようになる。上述した環境において、オーディオコンポを設置するだけではなく、ランプの設置、カメラの設置、及び無線ルーターの使用も関係している。一般的に、店で内装工事を行う時、オーディオコンポ、ランプ、カメラ、無線ルーターなどを別々に設置する。
【０００３】
例えば、アメリカ特許特許第US6748096号に記載されている装置では、ランプとオーディオコンポが並んで設置されている。上述した従来の設置方法は、コストが増加するだけではなく、スペースも多く占用する。且つ、ランプとオーディオコンポの同期制御を実現することができないので、よい環境を作りにくい。
【０００４】
ランプとオーディオコンポの同期制御を実現するために、オーディオコンポとランプが一体になる装置が提案されている。例えば、中国第ZL200720064623.0号特許文献には、オーディオコンポが付いている吸着型或いは吊下型ランプが公開されている。このオーディオコンポの内部にはスピーカーが設置され、ランプとオーディオコンポが繋がっている。しかし、上述した装置は、オーディオコンポ機能とランプ機能との簡単な結合に過ぎず、且つ遠隔操作を実現することができないので、高い箇所或いは触りにくい箇所に装着された場合、操作が難しくなるか、或いは複数のケーブルを設置して有線で繋げなければならない問題がある。
【０００５】
操作の利便性を向上するために、無線で繋げるオーディオコンポが提案されている。例えば、アメリカ特許第US5980057号には、無線モジュールが公開されている。しかし、前記無線モジュールは、ＦＭ信号を受けるためのものであって、オーディオ信号を受けるためのものではない。
【０００６】
又、中国第ZL200920302182.2号特許文献には、ＬＥＤ照明無線芸術型オーディオコンポが公開されている。このオーディオコンポは、ＬＥＤ照明と２．４ＧＨＺである無線受信機能を具備し、且つUSBメモリー或いはノートパソコンとデータ転送できるように、ＳＤカードリーダーと標準的なＵＳＢデータコネクタが設置されている。この芸術型オーディオコンポは、無線受信機能を具備し、且つコネクタを通してデータの伝送を行うこともできる。しかし、実際に使う時、ユーザーがパソコンを用意しなければならず、且つUSBメモリーを繋げた後にデータを転送しなければならないので、使用の利便性が悪くなり、携帯性も悪くなる。
【０００７】
電子装置が益々進歩している現在、もっと多くの電子装置が各部屋ごとに設置されるため、より多くのスペースを占用するだけではなく、統括的な制御を実現することができない。
【先行技術文献】
【特許文献】
【０００８】
【特許文献１】アメリカ特許第US6748096号公報
【特許文献２】中国特許第ZL200720064623.0号公報
【特許文献３】アメリカ特許第US5980057号公報
【特許文献３】中国特許第ZL200920302182.2号公報
【発明の概要】
【発明が解決しようとする課題】
【０００９】
上述した問題を解決するために、本発明では、遠隔操作が可能であり、非干渉性が良く、且つ適用性と装着性が良い新型無線オーディオコンポシステムを提供する。
【課題を解決するための手段】
【００１０】
上記目的を達するため、本発明は、外部本体と内部機構を具備する無線オーディオコンポを提供する。前記外部本体は、前端に開口が形成されている下側カバーを含み、前記下側カバーの後端には通用標準ネジ口が形成され、且つ前記下側カバーの前端にはカバーが着脱可能に装着されている。前記内部機構は、電源回路と、無線受信装置と、コントロールパネルと、オーディオコンポ装置と、着脱可能な外接電子部品と、を含む。前記電源回路は、内部機構に電力を供給し、前記無線受信装置は、前記無線発信ベースから発信された無線音声デジタル信号を受信して、コントロールパネルのＡＤ変換モジュールを通して受信した信号をデジタルアナログ変換して前記外接電子部品と前記オーディオコンポ装置に転送する。前記オーディオコンポ装置は、前記下側カバーの中に固定され、前記下側カバーの中には内部装着筒が設置され、前記外接電子部品は、前記電源回路とコントロールパネルと電気的に接続するように前記内部装着筒の中に着脱可能に設置されている。
【００１１】
前記下側カバーの後端の通用標準ネジ口が金属ナット及び金属ボルトから構成されている。前記下側カバーの前端の開口には蓋部が装着され、前記内部装着筒は、蓋部の上に装着されている。前記オーディオコンポ装置は、スピーカーを含み、前記蓋部には、スピーカーの音声が出るように開口が形成されている。
【００１２】
前記オーディオコンポ装置は、蓋部の外側に装着されているスピーカー用網部を更に含み、前記スピーカー用網部には、蓋部の内部装着筒に対応する貫通穴が形成されている。前記外接電子部品は、前記貫通穴を通して前記内部装着筒の中に装着されている。
【００１３】
前記外接電子部品は、金属ナット及び金属ボルトから構成された通用標準ネジ口を具備し、前記内部装着筒の中には、前記外接電子部品の標準ネジ口と電気的に接続するように係合するコンセントが形成されている。
【００１４】
前記外接電子部品がランプであり、前記ランプの発光部分の少なくとも一部が前記蓋部の外部に露出されている。
【００１５】
前記ランプがＬＥＤランプ或いは省エネランプである。
【００１６】
前記外接電子部品は、無線ルーター、カメラ或いはプロジェクターであり、前記無線ルーター、カメラ或いはプロジェクターは、標準ネジ口が形成された外部カバーによって前記内部装着筒のコンセントと電気的に接続するように係合する。
【００１７】
前記コントロールパネルは、処理装置と、音声コントロールモジュールと、外接電子部品コントロールモジュールと、を含んでいる。外接電子部品コントロールモジュールは外接電子部品に繋がり、音声コントロールモジュールはオーディオコンポ装置に繋がり、処理装置は別々音声コントロールモジュールとランプコントロールモジュールに繋がって、対応するモジュールの作動を制御する。
【００１８】
前記無線受信型オーディオコンポは、内装装置をさらに含む。前記内装装置は、ランプ、無線ルーター、カメラ、プロジェクター、或いは上述する４つの装置の何れかの組合せを具備する。前記コントロールパネルは、前記内装装置を制御する内装装置コントロールモジュールを更に含む。
【００１９】
上述した無線オーディオコンポシステムを具備する無線オーディオコンポシステムをさらに提供する。前記無線オーディオコンポシステムは、外接電子装置からオーディオデータを受信して、無線オーディオデジタル信号の形態で外へ発信する無線発信型ベースをさらに含む。前記無線発信型ベースは、ベース本体と、前記ベース本体の内部に設置される無線発信モジュールと、前記無線発信モジュールの作動を制御するＰＣＢＡと、を含む。
【００２０】
前記ベース本体は、互いに係合するプラスチック上側蓋とプラスチック下側蓋を含む。前記プラスチック上側蓋には、音楽再生装置を置くための支持ベースが形成され、前記プラスチック下側蓋の外には、リモコン信号を受信する透光部が形成されている。
【００２１】
無線オーディオコンポシステムは、前記無線発信型ベースとセットになるリモコンをさらに含む。
【発明の効果】
【００２２】
従来の技術と比較すると、本発明は以下の利点をある。
１．本発明が一体カバー式オーディオコンポを用いたため、カバーをオーディオコンポ本体の下側カバーから容易に分離し、ユーザーが色々な外接電子商品をを自由に交換することができる。例えば、ＬＥＤランプ或いは省エネランプなどのような市場で販売している各タイプのランプ、無線ルーター或いはカメラなどを自由に交換することができるので、ユーザーが色々なものを選ぶことができる。上述した構造は、モジュール化と構造化の全体的な設計に属する。
【００２３】
２. 内部にマイクロコンピュータコントロールシステムが設置されている知能的なコントロールパネルを通して、ランプ、無線ルーター、カメラ或いは電子部品とオーディオコンポシステムの作動を制御することができるので、ソフトウェアによりオーディオコンを作動させ、照明、無線ルーター或いはカメラなどを制御することができる。即ち、電子装置をオーディオコンの中に整合させることによって、多機能の同期を実現し、スペースの占用を減らし、事務所、家庭、コーヒー店、バー、或いは飛行機、電車などのような色々な場所で使うことができる。
【００２４】
３．無線発信型ベースと無線受信型オーディオコンポを具備し、無線発信型ベースが受信した無線オーディオコンポ信号を無線システムを通して無線オーディオコンポに転送する。遠隔操作可能なリモコンを通して、ユーザーが体を動かさずに、オーディオコンポとランプの切り替えと、ランプ、カメラ、プロジェクター或いは無線ルーターのオン・オフを実施することができる。
【００２５】
４．外部の太陽電池パネルに繋がっているため、環境にやさしい太陽エネルギーを有効に使うことができる。
【図面の簡単な説明】
【００２６】
【図１】無線オーディオコンポシステムの全体を示す図である。
【図２】無線受信型オーディオコンポを示す図である。
【図３】無線受信型オーディオコンポを示す分解図である。
【図４】無線発信型ベースを示す図である。
【図５】無線受信型オーディオコンポの第一実施形態を示す図である。
【図６】無線受信型オーディオコンポの第二実施形態を示す図である。
【発明を実施するための形態】
【００２７】
以下、当業者が本発明の内容を理解し実施するように、図面と具体的な実施方式を参照しながら、本発明をさらに詳しく説明する。
【００２８】
図１が示した無線オーディオコンポシステムは、２つの部分を含む、即ち、無線発信型ベースと無線受信型オーディオコンポを含む。前記無線発信型ベースは、外部電子装置に繋がり、前記外部電子装置は、ＭＰ３、ｉｐｏｄ／ｉＰｈｏｎｅ、ノートブックなどを含む。無線発信型ベースは、ＡＵＸ  ＩＮ入力と、ＵＳＢ／ＳＤカードのオーディオ信号の入力からオーディオデータを取得し、内部に設置されている無線発信モジュールを通して無線受信型オーディオコンポへに無線オーディオデジタル信号を発信し、無線受信型オーディオコンポのオーディオ出力を制御することができる。
【００２９】
前記システムは、少なくとも１つの無線受信型オーディオコンポを含み、無線受信型オーディオコンポは、外部本体と内部機構から構成されている。内部機構は、電源回路と、無線受信装置と、コントロールパネルと、オーディオコンポ装置と、着脱可能な外接電子部品２６と、を含む（図５を参照）。前記電源回路は、内部機構に電力を提供し、前記無線受信装置は、前記無線発信ベースから発信される無線音声デジタル信号を受信する一方、受信した信号をデジタルアナログ変換して外接電子部品２６とオーディオコンポ装置に転送する。
【００３０】
前記コントロールパネルは、処理装置と、音声コントロールモジュールと、外接電子部品コントロールモジュールと、を含む。外接電子部品コントロールモジュールは外接電子部品に繋がり、音声コントロールモジュールはオーディオコンポ装置に繋がり、処理装置はそれぞれ音声コントロールモジュールとランプコントロールモジュールに繋がって、対応するモジュールの作動を制御する。
【００３１】
図２は無線受信型オーディオコンポの全体を示す図である。無線受信型オーディオコンポの外部本体は、開口を有している下側カバー２と、下側カバー２の一端に順に繋がっている金属ナット８及び金属ボルト９と、下側カバー２の開口側に装着されている蓋部１（図３を参照）と、スピーカー用網部７と、着脱可能なカバー２２と、を含む。前記金属ナット８及び金属ボルト９は、通用する標準ネジ口を構成する。
【００３２】
図３を参照する。前記オーディオコンポ装置は、前記蓋部１に固定され、外接電子部品２６は、前記蓋部１の内部装着筒２７に着脱可能に装着されている。前記電源回路は、前記下側カバー２の中に設置されている電源ＰＣＢ２０であり、前記コントロールパネルは、前記下側カバー２の中に設置されているメインＰＣＢ１９である。
【００３３】
前記オーディオコンポ装置は、スピーカー１８と、スピーカー加圧板５と、スピーカー用網部７とから構成される。前記スピーカー１８は、スピーカー加圧板５によって蓋部１に固定されている。蓋部１にスピーカー１８を装着するための開口が形成されているので、スピーカー１８で生じた音声を外に出すことができる。スピーカー用網部７は、蓋部１の外側に装着されている。スピーカー用網部７には、蓋部１の内部装着筒２７に対応する貫通穴７０が形成されている。前記貫通穴７０の直径が蓋部１の内部装着筒２７の外口の直径より大きいので、貫通穴７０を通して外接電子部品２６を蓋部１の内部装着筒２７の中に装着することができる。前記外接電子部品に通用する標準ネジ口が形成され、前記内部装着筒２７に外接電子部品の標準ネジ口と電気的に接続するように係合するコンセント（未図示）が形成されているので、前記外接電子部品と電源回路及びコントロールパネルを電気的に接続させることができる。
【００３４】
本発明の実施方式において、前記外接電子部品２６がランプ、カメラ、無線ルーター或いはプロジェクターである。
【００３５】
以下、ランプを一例として、本発明の実施方式を詳しく説明する。
【００３６】
図５は、図２の構造図とカバー２２の分解図であり、第一実施例の構造図である。ランプ２６は、カバー２２の内部に設置されている。ランプ２６の発光部分の少なくとも一部分が蓋部１とスピーカー用網部７の外部に露出されているので、容易にランプ２６を着脱することができる。カバー２２は半球体であり、半球体の上側に四角形の透光口が形成されているので、より良い透光効果を実現することができる。
【００３７】
図６は、第二実施例の構造図とカバー２２の分解図である。前記カバー２２は半球体であり、半球体の上に緊密に配列された複数の透光口が形成されているので、より良い透光効果を実現することができる。
【００３８】
本発明の実施方式において、係合爪或いは固定爪によってカバー２２と下側カバー２を一体に係合する。上述する係合方式によってカバー２２とオーディオコンポ本体を容易に係合させるか或いは脱離させることができる。従って、ランプ２６を容易に着脱ことができる。本発明の他の実施方式において、磁石、ネジ、ロック部などによってカバー２２と下側カバー２を係合することができる。
【００３９】
前記コントロールパネルには、マイクロコンピュータオペレーティングシステムが設けられ、自動的に音声コントロールモジュールとランプコントロールモジュールを制御することができる中央処理装置が集積されている。変更例として、無線受信型オーディオコンポに前記中央処理装置が制御する無線ルーターをさらに設置することもできる。前記無線ルーターは、前記コントロールパネルに集積されるか、或いは独立に存在するモジュールとして蓋部１に設けることができる。これにより、無線ルーターの機能を実現することができるので、ユーザーが１つの回路で無線ルーターの遠隔接続を実現することができる。
【００４０】
前記コントロールパネルには、マイクロコンピュータオペレーティングシステムが設けられ、自動的に音声コントロールモジュールとランプコントロールモジュールを制御することができる中央処理装置が集積されている。変更例として、無線受信型オーディオコンポに前記中央処理装置が制御する無線ルーターをさらに設置することもできる。前記無線ルーターは、前記コントロールパネルに集積するか、或いは独立に存在するモジュールとして蓋部１に設けることができる。従って、無線ルーターの機能を実現することができるので、ユーザーが１つの回路で無線ルーターの遠隔接続を実現することができる。
【００４１】
実際に使う場合、各無線受信型オーディオコンポの中に不同な色を有するランプが設置されている複数の無線受信型オーディオコンポを設置し、且つコントロールパネルがシステムのソフトウェアに基づいてランダム或いは順位に各ランプがオープン或いはオフするようにして、綺麗な照明効果を実現することができる。又は、音楽に基づいて自動的に制御するソフトウェアを設け、ランプが音楽のリズムに基づいて点滅するようにして、綺麗な照明効果を実現することができる。
【００４２】
図３に内部の構造が詳しく示されたように、下側カバー２からカバー２２へ行く方向に沿って順に電源ＰＣＢ２０と、弾力ベース３と、陰極弾性部１２と、スプリング１１と、陽極弾性部１０と、メインＰＣＢ１９と、スピーカー加圧板５と、スピーカー１８と、上側ＥＶＡシールパッド１６と、ペアボタン４と、下側ＥＶＡシールパッド１７と、スピーカー用網部７と、が設けられている。
【００４３】
分解図に示すように、電源ＰＣＢ２０は、ＰＣＢネジ１３によって蓋部１に固定されている。弾力ベース３は、ＰＣＢネジ１３によって電源ＰＣＢ２０に固定係合されている。メインＰＣＢ１９は、ＰＣＢネジ１３によってスピーカー加圧板５に固定係合されている。上側ＥＶＡシールパッド１６と下側ＥＶＡシールパッド１７との間には、シール用蓋６と無線モジュール２１がさらに設置されている。無線モジュール２１は、蓋部１に固定されている２．４ＧＨｚ或いは５．８ＧＨｚであるＷｉＦｉ、ブルートゥース、或いは他の無線モジュールである。無線ルーターを使っても良い。蓋部１は、固定用ネジによって下側カバー２に固定されている。スピーカー用網部７は、網部用ネジ１４によって蓋部１とカバー２２との間に固定されている。前記上側ＥＶＡシールパッド１６は、スピーカー１８をシールすることに用いられ、下側ＥＶＡシールパッド１７は、無線モジュール２１をシールすることに用いられる。シール用蓋６は、上側ＥＶＡシールパッド１６、スピーカー１８及びメインＰＣＢ１９を押す。ペアボタン４は、無線連結するときのペアに用いられる。
【００４４】
上述した部品は、所定の材料から製造する。例えば、蓋部１、下側カバー２、弾力ベース３、ペアボタン４、スピーカー加圧板５、シール用蓋６などは耐高温防火プラスチック材料から製造し、これらが耐高温及び防火の効果を有するようにする。スピーカー用網部７は、耐高温のＰＣ網から製造され、孔の内径が０．６６ｍｍであり、片面にゴムが付着されている。金属ナット８は、アルミニウム材料から製造され、外周面にはねじ山が形成され、底面には孔が形成されている。金属ボルト９は、ニッケル鍍金材料から製造され、上端は円形頭部に形成され、円形頭部の直径は９．６ｍｍである。陽極弾性部１０と陰極弾性部１２は、厚さが０．２ｍｍであるステンレスフィルムから製造する。スプリング１１は、電解ニッケルメッキにより製造される。ＰＣＢネジ１３と、網部用ネジ１４と、固定用ネジ１５は、亜鉛黒めっき材料から製造する。上側ＥＶＡシールパッド１６と、下側ＥＶＡシールパッド１７は、防火材料材料から製造し、且つ片面にゴムが付かれている。カバー２２は、ＰＣ透明材料材料から製造する。ランプ２６は、ＬＥＤランプ或いは省エネランプであり、直径が６０ｍｍより小さく、長さが１１８ｍｍより小さいＬＥＤランプ或いは省エネランプを選ぶことが好ましい。
【００４５】
図４は無線発信型ベースを示す図である。ベース本体は、互いに係合するプラスチック上側蓋２４とプラスチック下側蓋２５を含む。支持ベース２３は、前記プラスチック上側蓋に嵌め込まれている。前記プラスチック下側蓋の外には、リモコン信号を受信する透光部（未図示）が形成されている。前記無線発信モジュールは、２．４ＧＨｚ或いは５．８ＧＨｚである発信周波数を用い、ＷｉＦｉ、ブルートゥース或いは他の無線モジュールを用いる。無線オーディオコンポシステムは、前記無線発信型ベースとセットになるリモコンをさらに含む。
【００４６】
前記無線受信型オーディオコンポは、キッチン、ホール、ベッドルーム、トイレ、バー或いはレストランの天井、壁部或いは他の隅部に設置するか、或いは電気スタンド、卓上灯、縦型電気スタンド或いは電車、飛行機のような交通手段に設置することで、ユーザーが素晴らしい音楽を聴くことが可能になる。本発明の実施方式で、１つの無線発信型ベースが少なくとも１〜８個の無線受信型オーディオコンポを制御することができる。
【００４７】
無線発信型ベースと無線受信型オーディオコンポとの間で無線で信号を転送するので、ユーザーが使う時に自由に制御することができる、即ち、どんな位置でも自由に制御することができる。無線発信型ベースと無線受信型オーディオコンポは、２．４ＧＨｚ或いは５．８ＧＨｚである無線発信モジュールと無線受信モジュールを用い、且つ、無線発信と無線受信が動的周波数の計算方法と、連続的なスキャン検索方法と複雑な自己適応性選択計算方法によって、迅速に周波数を改変して周波数帯域（frequency band）内の干渉を避け、シームレスハンドオーバを実現し、非干渉の能力を向上させ、計算量関数（Complexity forward）誤差補正法によって削除されたデータを修復し、データパケット再度発信協議によって連続的な高精細音声再生を実現することができる。ＲＦ（Radio Frequency）パワーが動的パワーコントロール計算方法を実施し、距離によってＲＦ発信パワーを自動的にコントロールして、省エネを実現し、干渉を減らし、悪い環境に適用することができる。
【００４８】
無線発信型ベースと無線受信型オーディオコンポが２．４ＧＨｚ或いは５．８ＧＨｚである無線発信モジュールと無線受信モジュールを用いたので、非干渉の効果がより強くなり、発信の距離が室内で３０ｍまで達し、室外で５０〜１００ｍ或はより遠いところまで達することができる。従って、ユーザーが家のどんな区域でも、確実に無線発信型ベースが発信した音声信号を受けることができる。ユーザーがある部屋から別の部屋に入るときに、自由に切り替えて、ある部屋のオーディオコンポの放送を別の部屋のオーディオコンポの放送に連続的に切り替えることができる。即ち、音楽の放送と照明の環境の連続的な切り替えを実現することができる。且つ、無線発信型ベースに遠隔操作が可能なリモコンが付いているので、ユーザーが体を動かなくても、ランプの切り替えとオーディオコンポのオン・オフを実現し、且つ歌の状態、例えば歌の選択、早送りと早戻し、停止と放送、音量などを制御することもできる。
【００４９】
本発明の無線発信モジュールと無線転送及び無線コントロールと言うのは、本発明が提供した照明機能とオーディオコンポ機能などを揃えて有している無線受信型オーディオコンポに適用するだけでなく、地面灯、卓上灯、ペンダント、電球などのような色々なランプ、或いはスピーカー、ヘッドホン、プレーヤーなどのような色々な音楽再生装置にも適用することができる。又、現在のwifi技術との組み合わせにより無線ルーター型コントロールを実現し、色々なユーザーに素敵な無線照明装置と、無線再生装置を提供することができる。
【００５０】
本発明の他の実施方式において、前記外接電子部品が無線ルーターであっても良い。無線ルーターは通用する標準ネジ口が形成された外部カバーを含み、前記外部カバーは前記標準ネジ口を通して内部装着筒２７のコンセントと係合する。この場合、コントロールパネルのランプコントロールモジュールの代わりに無線ルーターコントロールモジュールを使って、無線ルーターの作動をコントロールし、ユーザーが１つの回路によって無線ルーターの遠隔接続を実現するようにすることができる。
【００５１】
本発明の他の実施方式において、前記外接電子部品がカメラであっても良い。前記カメラは通用する標準ネジ口が形成された外部カバーを含み、前記外部カバーは前記標準ネジ口を通して内部装着筒２７のコンセントと係合する。この場合、コントロールパネルのランプコントロールモジュールの代わりにカメラコントロールモジュールを使って、カメラの作動を制御する。なお、カバー２２は透明な材料から形成される。本実施方式において、コントロールパネルが検査モジュールを具備し、検査モジュールがカメラに現れた異常状態を検出した場合、コントロールパネルを通して音声コントロールモジュールに入力し、警報作用を起こす特定な音を出すようにする。前記カメラが監視、警報の作用を起こすことができるが、前記カメラの代わりに投光装置モジュールを使う場合、イメージ、文字或いは動画を転送する機能さえ実現することができる。
【００５２】
本発明の他の実施方式において、前記外接電子部品がプロジェクターであっても良い。プロジェクターは通用する標準ネジ口が形成された外部カバーを含み、前記外部カバーは前記標準ネジ口を通して内部装着筒２７のコンセントと係合する。この場合、コントロールパネルのランプコントロールモジュールの代わりにプロジェクターコントロールモジュールを使って、プロジェクターの作動を制御する。なお、カバー２２は透明な材料から形成される。
【００５３】
本発明の他の実施方式において、前記無線受信型オーディオコンポは、ランプ、無線ルーター、カメラ、プロジェクター、或いは上述する４つの装置の何れかの組み合わせからなる内装装置をさらに含むことができる。この場合、コントロールパネルは、上述した１つ或いは複数の内装装置を制御する内装装置コントロールモジュールを更に含む。
【００５４】
本発明の変更例として、前記無線受信型オーディオコンポに太陽パネルが繋がっている太陽エネルギー電源システムをさらに設置することができる。この場合、前記太陽パネルが吸収した太陽エネルギーを電気エネルギーに変換して前記無線受信型オーディオコンポを充電させることができる。上述した実施例は、今の省エネの政策に適合する。
【００５５】
本発明の他の実施方式において、無線発信型ベースとして携帯電話或いはパソコンなどを使って、無線受信型オーディオコンポを制御することができる。
【００５６】
以上、これらの発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【符号の説明】
【００５７】
１  蓋部
２  下側カバー
３  弾力ベース
４  ペアボタン
５  スピーカー加圧板
６  シール用蓋
７  スピーカー用網部
８  金属ナット
９  金属ボルト
１０  陽極弾性部
１１  プリング
１２  陰極弾性部
１３  ＰＣＢネジ
１４  部用ネジ
１５  固定用ネジ
１６  上側ＥＶＡシールパッド
１７  下側ＥＶＡシールパッド
１８  スピーカー
１９  メインＰＣＢ
２０  電源ＰＣＢ
２１  無線モジュール
２２  カバー
２３  支持ベース
２４  プラスチック上側蓋
２５  プラスチック下側蓋
２６  外接電子部品
２７  内部装着筒
７０  貫通穴
【図１】
2015508590.tif 000003
【図２】
2015508590.tif 000004
【図３】
2015508590.tif 000005
【図４】
2015508590.tif 000006
【図５】
2015508590.tif 000007
【図６】
2015508590.tif 000008
【国際調査報告】
2015508590.tif 000009
2015508590.tif 000010
2015508590.tif 000011
2015508590.tif 000012